(57)【要約】【課題】  靴の着脱動作を要介護者自身で容易に行うことができるとともに、歩行中足への負担が少なく、且つ靴内に足を安定して保持しておくことができる、安全で信頼性の高い要介護者用靴を提供する。【解決手段】  要介護者用靴１を履くときは、足Ｆの踵で中敷き保持板５Ｂを押し下げると、その後端が係止舌片５Ｄの下端に係合して、底板５Ａ上面近傍位置で係止され、同時に中敷き保持板と連結帯７で連結されている甲被片３Ｃが足の甲を保持する。靴１を脱ぐときは、靴底部２の後端を床面Ｇ等に打ち当てると、足の踵で係止舌片が押されて係止舌片と中敷き保持板間の係合が外れ、甲被片が開かれるとともに中敷き保持板によって足の踵がアッパー部３から外に押し出されて靴１を容易に脱ぐことができる。【選択図】  図１０
2015181642.tif 000002
【特許請求の範囲】
【請求項１】
靴底部と、
前記靴底部の上に固定され、着用時に足の甲部を保持し、着脱時に上方へ拡開可能な甲被片を有するアッパー部と、
前記アッパー部内側の底部上面に重ねて配置され、前端から土踏まずの間で靴の前後方向に所定長さの範囲に、靴底部の爪先側の撓み変形に追従して柔軟に変形可能な可撓部が設けられた中底と、
前記中底の可撓部と後端間の上面側に、長手方向を靴の前後方向に向けて固定された底板と、
前記底板後端からアッパー部の踵部の内面に沿って当該踵部の上端近傍位置まで立ち上がるように、下端が当該底板と一体に連結されている踵受け板と、
前記底板の前端部と前端部が一体に連結されて当該底板の上面側に配置され、外力の加わらない状態で、後端側が底板上面から反り上がる弾性習性を有するとともに、後端が踵受け板の前面に近接した位置でこれに沿って上下方向に変位可能に設けられた中敷き保持板と、
前記踵受け板の前面に近接して配置され、上端部が当該踵受け板の上端部と一体に連結されているとともに、外力が加わらない状態で、下端が底板上面及び踵受け板前面と近接した位置をその弾性復元力により維持する係止舌片と、
前方部分が中底の上面に重ねて配置され、後方部分が中敷き保持板の上面に保持された中敷きと、
前記甲被片の後端部近傍の左右両側部分と、中敷き保持板の後端近傍の左右両側部分との間をそれぞれ、アッパー部の左右内側の側面と中敷き間の隙間を通して連結する非伸縮性で且つ弾性撓み変形可能な連結帯を備え、
靴を着用する際には、足の踵で中敷きを踏んで中敷き保持板を押し下げると、連結帯に引かれて甲被片が足甲を保持するとともに、中敷き保持板の後端が係止舌片の下端に係合して底板上面に近接する位置で係止され、
靴を脱ぐ際には、靴底部後端を床面等に打ち当てて係止舌片と中敷き保持板間の係合を解除すると、中敷き保持板の弾性復元力によって甲被片が拡開されるとともに、足の踵がアッパー部から押し出されることを特徴とする要介護者用靴。
【請求項２】
甲被片と中敷き保持板間を連結する左右の連結帯の有効長を調節可能としたことを特徴とする請求項１に記載の要介護者用靴。
【請求項３】
底板と中敷き保持板の間に、中敷き保持板の後端が係止舌片と係合する位置の上下近傍位置まで下降したときのみ、中敷き保持板を上方に付勢する補助バネを設けたことを特徴とする請求項１又は２に記載の要介護者用靴。
【発明の詳細な説明】
【技術分野】
【０００１】
本発明は、要介護者が自力で容易に着脱できる要介護者用靴に関する。
【背景技術】
【０００２】
従来、介護度が要介護３から４以上で介護施設に入居している人の７０％から８０％は、自分で靴を履いたり脱いだりする動作を行うことが困難であり、介護者の介助を必要としている。
【０００３】
しかしながら、介護施設においては、介護者は、昼夜を問わずベッドを離れる要介護者の靴の脱ぎ履きを腰を屈めた姿勢で行っており、特に、夜間では一人の介護者が３０人前後を介護しているため、その動作が介護者の身体に多大な負担を与え、腰痛の原因となっている。
【０００４】
その結果、介護者は、介護の動作中に突然腰痛を発症して動けなくなったり、徐々に腰痛がひどくなって歩行さえ困難な状態に陥る場合があり、腰痛が回復するには日数を要するため、施設側や介護者ばかりでなく、要介護者にとっても重要な課題となっている。
【０００５】
このような課題に対して、特許文献１において、要介護者が自力で靴の着脱動作を容易に行うことができる要介護者用靴が提案されている。同文献に記載されている要介護者用靴は、靴の内部に、中敷きの後端側を上方に付勢する板バネ状の中敷き保持板が組み込まれている。
【０００６】
そして、靴を着用する際には、中敷き保持板によって後端側が斜めに上がっている中敷きに沿って爪先側から足を靴の中に滑り込ませて踵で中敷きを踏み込むと、中敷き保持板がその弾性付勢力に抗して中敷きとともに下方へ移動し、後端が靴の踵側の底部で係止舌片に係合して保持されて足の踵側が靴内に収まるので、自力で靴を履くことができる。
【０００７】
また、靴を脱ぐ場合には、靴底部の後端を床面等に打ち当てることにより、係止舌片が足の踵に押されて中敷き保持板の後端から外れ、その結果、中敷き保持板はその弾性習性によって後端側が反り上がるので、この場合も自力で足を靴から容易に抜き出すことができる。
【先行技術文献】
【特許文献】
【０００８】
【特許文献２】特許第５３９２９３９号公報
【発明の概要】
【発明が解決しようとする課題】
【０００９】
前述した特許文献１に記載されている要介護者用靴は、靴の着脱動作を手を使わずに要介護者自身で簡単に行うことができる利点がある。しかしながら、靴を履く際や脱ぐ際に、中敷き保持板によって中敷きの後端側が上方に押し上げられて、アッパー部の甲被片（タン）と中敷きの間の間隔が狭まるため、甲被片を足甲の上方まで被うように長めに形成すると、足の出し入れが困難になる問題があった
【００１０】
この場合、甲被片の長さを短かくすれば、この問題は回避できるので、室内等を短い距離歩くために使用する場合には支障は生じないが、散歩等で屋外を歩行する場合には、甲被片が短いと路上の砂礫等が靴内に浸入し易くなり、また足甲の上部が被われていないため、歩行状態によっては、靴の中で足の踵側が浮きあがって脱げやすくなる可能性があった。
【００１１】
また、前記特許文献１に記載されている要介護者用靴は、中敷き保持板を支持している底板の前方部分が靴底部の爪先側の撓み変形を抑制してしまうため、歩行中の足への負担が大きくなる問題があった。
【００１２】
そこで、本発明は、前述したような先行技術の問題点を解消し、靴の着脱動作を要介護者自身で容易に行うことができるとともに、歩行中足への負担が少なく、且つ靴内に足を安定して保持しておくことができる、安全で信頼性の高い要介護者用靴を提供することを目的とする。
【課題を解決するための手段】
【００１３】
前記目的のために提供される本発明の要介護者用靴は、靴底部と、前記靴底部の上に固定され、着用時に足の甲部を保持し、着脱時に上方へ拡開可能な甲被片を有するアッパー部と、前記アッパー部内側の底部上面に重ねて配置され、前端から土踏まずの間で靴の前後方向に所定長さの範囲に、靴底部の爪先側の撓み変形に追従して柔軟に変形可能な可撓部が設けられた中底と、前記中底の可撓部と後端間の上面側に、長手方向を靴の前後方向に向けて固定された底板と、前記底板後端からアッパー部の踵部の内面に沿って当該踵部の上端近傍位置まで立ち上がるように、下端が当該底板と一体に連結されている踵受け板と、前記底板の前端部と前端部が一体に連結されて当該底板の上面側に配置され、外力の加わらない状態で、後端側が底板上面から反り上がる弾性習性を有するとともに、後端が踵受け板の前面に近接した位置でこれに沿って上下方向に変位可能に設けられた中敷き保持板と、前記踵受け板の前面に近接して配置され、上端部が当該踵受け板の上端部と一体に連結されているとともに、外力が加わらない状態で、下端が底板上面及び踵受け板前面と近接した位置をその弾性復元力により維持する係止舌片と、前方部分が中底の上面に重ねて配置され、後方部分が中敷き保持板の上面に保持された中敷きと、前記甲被片の後端部近傍の左右両側部分と、中敷き保持板の後端近傍の左右両側部分との間をそれぞれ、アッパー部の左右内側の側面と中敷き間の隙間を通して連結する非伸縮性で且つ弾性撓み変形可能な連結帯を備え、靴を着用する際には、足の踵で中敷きを踏んで中敷き保持板を押し下げると、連結帯に引かれて甲被片が足甲を保持するとともに、中敷き保持板の後端が係止舌片の下端に係合して底板上面に近接する位置で係止され、靴を脱ぐ際には、靴底部後端を床面等に打ち当てて係止舌片と中敷き保持板間の係合を解除すると、中敷き保持板の弾性復元力によって甲被片が拡開されるとともに、足の踵がアッパー部から押し出されることを特徴としている。
【００１４】
本発明の要介護者用靴においては、甲被片と中敷き保持板間を連結する左右の連結帯の有効長を調節可能とすることが望ましい。また、底板と中敷き保持板の間に、中敷き保持板の後端が係止舌片と係合する位置の上下近傍位置まで下降したときのみ、中敷き保持板を上方に付勢する補助バネを設けることも望ましい。
【発明の効果】
【００１５】
請求項１に記載された発明に係る要介護者用靴によれば、靴を履く際に、中敷き保持板の後端側が上がっている状態では、甲被片は、連結帯に押されてその後端側が上方に開くため、足を爪先側から容易に靴の中に入れることができる。
【００１６】
そして足の爪先がアッパー内側の前端まで入ったら、そのまま足の踵で中敷きの後端側を踏み込むと、中敷きとともに中敷き保持板の後端が下がって係止舌片に係止されるため、要介護者は介護者の手を煩わすことなく自力で簡単に靴を履くことができる。
【００１７】
そして、靴を使用している間は、甲被片の後方部分は、中敷き保持板と連結された連結帯で左右両側から引っ張られて足の甲に押し付けられているため、足が靴内に安定して保持され、安全に歩行することができる。
【００１８】
また、中底の前端から土踏まずの間で靴の前後方向に所定長さの範囲に、靴底部の爪先側の撓み変形に追従して柔軟に変形可能な可撓部が設けられているため、歩行中の足への負担を軽減することができる。
【００１９】
請求項２に記載された発明に係る要介護者用靴によれば、前述した請求項１の発明の効果に加えてさらに、甲被片と中敷き保持板間を連結する左右の連結帯の有効長を調節可能とすることによって、使用者の足甲の高さに応じて甲被片後端の上下位置を適正に設定することができる。
【００２０】
請求項３に記載された発明に係る要介護者用靴によれば、前述した請求項１又は請求項２の発明の効果に加えてさらに、中敷き保持板と係止舌片間の係合が一旦解除された後に、中敷き保持板５Ｂが振動して再度両者が係合してしまうことが防止されるため、係止舌片と中敷き保持板の係合の解除を確実に行うことができる。
【図面の簡単な説明】
【００２１】
【図１】本発明の要介護者用靴の縦断面図である。
【図２】図１のＡ−Ａ断面を示す部分断面図である。
【図３】図１に示す要介護者用靴の中底と中敷き押上機構の斜視図である。
【図４】図１に示す要介護者用靴の中敷きの図示を省略したアッパー部内の平面図である。
【図５】本発明の要介護者用靴の、中敷き保持板と係止舌片間の係合が外れている状態の縦断面図である。
【図６】本発明の要介護者用靴の甲被片を折り返した状態を示す側面図である。
【図７】本発明の要介護者用靴の甲被片を折り返した状態を示す平面図である。
【図８】本発明の要介護者用靴の甲被片を展開した状態を示す側面図である。
【図９】本発明の要介護者用靴の甲被片を展開した状態を示す平面図である。
【図１０】本発明の要介護者用靴を履く手順を説明する図である。
【図１１】本発明の要介護者用靴を脱ぐ手順を説明する図である。
【発明を実施するための形態】
【００２２】
以下、本発明の要介護者用靴の実施形態について、図面に基づいて説明する。図１は、本発明の要介護者用靴（以下、単に靴ともいう。）の１実施形態を示す縦断面図、図２は図１のＡ−Ａ断面を示す部分断面図であって、これらの図に示す要介護者用靴１は、ゴム製の靴底部２の上に足を収容するアッパー部３を備えている。
【００２３】
アッパー部３は、足の甲部や踵部に密着するように、柔軟性に富む樹脂やゴムの素材で底部３Ａと一体に成形されており、底部３Ａの下面は、靴底部２の上面に接着固定されている。
【００２４】
また、底部３Ａの上面には、中底４が重ねて配置されている。前記中底４は、比較的変形し難い樹脂やゴム素材で形成されているが、その前端から土踏まずの間には、歩行時等に生じる靴底部２の爪先側の撓み変形に追従して柔軟に変形できる可撓部４Ａが設けられている。
【００２５】
前記可撓部４Ａには、中底４の下面にその幅方向に横断する多数の溝ａを形成して、その後方部分よりも上下方向に撓み易くしてある。なお、可撓部４Ａの構造は、これに限定するものではなく、例えば、中底４の他の部分よりも可撓性の大きい素材を用いて撓み易くしてもよい。
【００２６】
また、中底４の上面の、可撓部４Ａより後方部分には、中敷き押上機構５が取り付けられている。図３は、中底４と中敷き押上機構５を示す斜視図であって、同図に示す中敷き押上機構５は、板バネの素材に用いられるステンレス鋼板を成形して一体に製作された、底板５Ａ、中敷き保持板５Ｂ、踵受け板５Ｃ、及び係止舌片５Ｄと、円錐状の圧縮コイルバネを用いた補助バネ５Ｅから構成されており、前記補助バネ５Ｅは、底板５Ａの後端部に近い位置の上面に形成された円形の補助バネ保持凹部５Ｆ内に下端部を圧入して固定されている。
【００２７】
また、中底４の上面には、前記中敷き押上機構５の底板５Ａを、その長手方向が靴１の前後方向に向くように位置決めして固定するための取付凹部４Ｂが形成されている。図４に示すように、底板５Ａは、取付凹部４Ｂの形状に適合する長さと幅を有していて、その裏面が接着剤によって当該取付凹部４Ｂの底面に固定されている。
【００２８】
なお、前記補助バネ保持凹部５Ｆの底部の裏面は底板５Ａの下方に突出しているため、中底４の取付凹部４Ｂの底部には、図３に示すように、この突出部分を受け入れるための円形の透孔４Ｃが設けられている。
【００２９】
また、中敷き保持板５Ｂは、その前端部が底板５Ａの前端部と一体に、同一幅で連続して形成されており、その後端側は底板５Ａの上面から反り上がる弾性習性を付与されて、外力の加わらない状態では、後端が踵受け板５Ｃの上端近傍に位置している。
【００３０】
踵受け板５Ｃは、底板５Ａや中敷き保持板５Ｂより幅が狭く形成されており、当該底板５Ａ後端の幅方向中央部に下端側が連続して、図１に示すように、アッパー部３の踵部３Ｂの内面に沿って、その上端近傍位置まで立ち上がるように設けられている。
【００３１】
係止舌片５Ｄは、踵受け板５Ｃの前面に近接して配置され、上端部が当該踵受け板５Ｃの上端部と一体に連続しており、外力が作用していない状態では、その弾性復元力によって、その下端は底板５Ａの上面及び踵受け板５Ｃの前面に近接した位置を維持するように設けられている。
【００３２】
中敷き保持板５Ｂは、その弾性に抗して下方へ押し下げると、その後端が係止舌片５Ｄの前面を滑動して図１及び図４に示すように係止舌片５Ｄの下端に係合して、底板５Ａの上面に近接した位置で係止される。
【００３３】
また、中敷き保持板５Ｂは、係止舌片５Ｄの下端近くまで下降すると、その下面が補助バネ５Ｅの上端に当接し、係止舌片５Ｄとの係合位置では、補助バネ５Ｅは所定量圧縮されて中敷き保持板５Ｂを上向きに付勢している。
【００３４】
中底４の可撓部４Ａの上面には、中敷き６の前方部分が重ねて配置されており、その後方部分は前記中敷き保持板５Ｂの上面に保持されている。中敷き６は、上下方向に撓み変形が可能な樹脂等の素材を用いて形成されていて、その後端付近の上面の左右両側部分が、靴を履いたときの足の踵に沿うように、図２に示すようにやや上向きに湾曲している。
【００３５】
また、図１に示すように、アッパー部３は、靴１を履いたときに足甲を覆って保持するための甲被片３Ｃ（タン）を有している。この甲被片３Ｃは、左右両側部分がアッパー部３の左右両側部分と切り離されていて、その後端側を上方へ容易に開くことができるようになっている。
【００３６】
甲被片３Ｃの左右両側部分と中敷き保持板５Ｂの後端近傍の左右両側部分との間はそれぞれ、連結帯７によって連結されている。本実施形態のものにおいては、前記連結帯７は、弾性的に撓み変形が容易で且つ伸縮の少ない薄い帯状の合成樹脂材で形成され、図２に示すように、中敷き保持板５Ｂの下面側で両側の部分が一体に連続しており、連結帯７と中敷き保持板５Ｂとは、当該中敷き保持板５Ｂに形成されている一対の取付孔５Ｇ（図３参照）にそれぞれ嵌入させた樹脂製の留め具８によって固定されている。
【００３７】
また、図２に示すように、中敷き保持板５Ｂの左右両側に引き出されている連結帯７はそれぞれ、中敷き６の下面に沿ってその左右両側の縁部と、前記それぞれの縁部に対向するアッパー部３の内側の側面との隙間から中敷き６の上方に引き出されている。
【００３８】
図５は、中敷き保持板５Ｂと係止舌片５Ｄ間の係合が外れている状態の靴１の縦断面図であって、同図に示すように、この状態では、中敷き保持板５Ｂの後端側は、その弾性復元力によってアッパー部３の踵部３Ｂの上端付近の高さに位置している。また、この状態では中敷き保持板５Ｂの近傍位置と連結帯７で連結されている甲被片３Ｃの後端側は、連結帯７に押されて上方へ開かれている。
【００３９】
また、本実施形態のものにおいては、図６及び図７に示すように、甲被片３Ｃは、その後端で折り返されて上下に重なった構造になっていて、左右両側の連結帯７の上端部は、甲被片３Ｃの折返し部分ｂの間に左右両側から差し込まれて固定されている。
【００４０】
前記折返し部分ｂは、図８及び図９に示すように展開できるようになっていて、折り返したときに対向するそれぞれの面に、互いに結合する面ファスナ９Ａ、９Ｂが貼り付けられている。
【００４１】
一方、前記折返し部分ｂの間に左右両側から差し込まれる連結帯７のそれぞれの端部には、これらの面ファスナ９Ａ、９Ｂとそれぞれ結合する面ファスナ１０が貼り付けられている。なお、図８及び図９からは見えない位置にあるが、面ファスナ１０は連結帯７のこれらの端部の裏側にも同様に貼り付けられている。
【００４２】
このような構造により、連結帯７が甲被片３Ｃの折返し部分の中に両側から差し込まれている長さを、図８、９に示すように甲被片３Ｃの折返し部分を開いた状態で、面ファスナ９Ａ、９Ｂと面ファスナ１０との結合位置を調節することにより、靴１を履いたときの甲被片３Ｃの位置を、使用者の足甲の高さに適合させることができる。
【００４３】
なお、連結帯７と甲被片３Ｃの連結手段は、面ファスナに限定するものではなく、ホックやバックルのように段階的に固定位置を選択可能な手段を用いてもよい。また、構造を簡略化するために、このような調節手段を省略して、甲被片３Ｃと連結帯７間を直接結合するようにしてもよい。
【００４４】
次に、前述したように構成されている要介護者用靴１を履く手順を、図１０に基づいて説明する。
先ず、同図（Ａ）に示すように、靴１を中敷き保持板５の後端が上がって、甲被片３Ｃの後端側が上方に拡開している状態にして水平な床面Ｇ等に置き、アッパー部３の中に足Ｆを爪先側から差し込み、さらに、同図（Ｂ）に示すように、爪先をアッパー部３内側の前端付近まで侵入させる。この際、甲被片３Ｃは上方に開いているため、アッパー部３内に足Ｆを容易に差し込むことができる。
【００４５】
また、前述したように、連結帯７は弾性的に撓み変形が容易な、薄い帯状の合成樹脂材で形成されているため、中敷き保持板５Ｂの後端側が上がると、甲被片３Ｃに連結されている左右両側の連結帯７はそれぞれ、アッパー部３内側の左右の側面に押し付けられるように撓んで甲被片３Ｃを押し上げるため、甲被片３Ｃは自然に開いた状態となる。
【００４６】
次に、図１０（Ｃ）に示すように、足Ｆの踵を踏み込んで、中敷き６の上から中敷き保持板５Ｂをその弾性付勢力に抗して下方へ押し下げて行くと、これにつれて、連結帯７は下方に引っ張られ、甲被片３Ｃは足Ｆの甲に被さるように後方に傾いて行く。
【００４７】
そして、中敷き保持板５Ｂの後端部の下面が底板５Ａの上面に接近すると、補助バネ５Ｅに当接してこれを圧縮しながら，最終的に同図（Ｄ）に示すように、中敷き保持板５Ｂの後端が係止舌片５Ｄの下端に係合し、中敷き保持板５Ｂはこの位置に係止される。
【００４８】
このとき、甲被片３Ｃは、中敷き保持板５Ｂと連結された連結帯７に引っ張られて足Ｆの甲に押し当てられるため、足Ｆはアッパー部３内に確実に保持され、歩行中に不用意に脱げてしまうことはない。
【００４９】
次に、要介護者用靴１を脱ぐ手順を図１１に基づいて説明する。
靴１を脱ぐ場合には、同図（Ａ）に示すように、爪先側を上に向けて靴底部２の後端を床面Ｇ等に打ち当てる。
【００５０】
そうすると、係止舌片５Ｄの前面が足Ｆの踵に押されるので、係止舌片５Ｄの弾性付勢力に抗してその下端は後退して中敷き保持板５Ｂの後端上面から係合が外れる。その結果、同図（Ｂ）に示すように、中敷き保持板５Ｂはその弾性復元力によって、後端側が底板５Ａから離れるため、これに伴って連結帯７が変位して甲被片３Ｃが拡開される。
【００５１】
この時、中敷き保持板５Ｂはその弾性復元力によって足の踵を押すため、同図（Ｂ）に示すように、靴１は、甲被部３Ｃの前側の部分を支点として後端側が下方に傾動するので、足Ｆの踵は靴１の外に押し出される。
【００５２】
ここで、靴底部２全体を床面Ｇに着けて足Ｆの爪先側をアッパー部３から後方に抜き出すことにより、靴１を簡単に脱ぐことができる。靴１に重量がある場合には、前記支点回りに作用する靴の自重によるモーメントが、靴１の後端側を下方に傾動させるように働くため、足の踵をより簡単に靴１から抜き出すことができる。
【００５３】
なお、補助バネ５Ｅは、中敷き保持板５Ｂと係止舌片５Ｄ間の係合位置の近傍で中敷き保持板５Ｂに上向きの弾性付勢力を作用させることで、中敷き保持板５Ｂと係止舌片５Ｄ間の係合が一旦解除された後に、中敷き保持板５Ｂが振動して再度両者が係合してしまうことを防いで両者間の係合の解除を確実に行う役割を有している。
【００５４】
前述した実施形態のものにおいては、底板５Ａと中敷き保持板５Ｂとの間に、円錐コイルバネからなる補助バネ５Ｅを組み込んた中敷き押上機構を構成しているが、補助バネは、円錐コイルバネに限定するものではなく、例えば、板バネ等を用いてもよい。また、中敷き保持板４Ｄ自体の弾性付勢力が大きい場合には、補助バネは省略してもよい。
【００５５】
また、前述した実施形態のものにおいては、中敷き押上機構５を構成している底板５Ａ、中敷き保持板５Ｂ、踵受け板５Ｃ、及び係止舌片５Ｄをバネ素材として用いられる単一のステンレス鋼板で成形しているが、これに代えてバネ鋼の鋼板を用いてもよい。またこれらの各部分は、個別に製作したものをリベット接合によって一体に組み立ててもよい。
【００５６】
また、前述した実施形態のものにおいては、靴底部２とアッパー部３の底部３Ａとは、別材料で製作しているが、アッパー部に底部を設けずに、底部は靴底部と一体化してもよい。
【００５７】
さらに、足の踵と直接触れる係止舌片５Ｃの前面には、中敷き保持板５Ｂの後端と接触する下端近傍部分を除き、静電植毛等の手段を用いてポリアミド等の柔軟な短繊維で被覆したり、滑性のある樹脂を被覆するようにしてもよい。
【産業上の利用可能性】
【００５８】
本発明の要介護者用靴は、靴の脱ぎ履きに介助者を必要とする高齢者等を多数収容している施設や病院で特に有用であり、また、高齢者等の要介護者がいる一般家庭においても利用可能である。
【符号の説明】
【００５９】
１                      要介護者用靴
２                      靴底部
３                      アッパー部
３Ａ                    底部
３Ｂ                    踵部
３Ｃ                    甲被片
４                      中底
４Ａ                    可撓部
４Ｂ                    取付凹部
４Ｃ                    透孔
５                      中敷き押上機構
５Ａ                    底板
５Ｂ                    中敷き保持板
５Ｃ                    踵受け板
５Ｄ                    係止舌片
５Ｅ                    補助バネ
５Ｆ                    補助バネ保持凹部
５Ｇ                    取付孔
６                      中敷き
７                      連結帯
８                      留め具
９Ａ、９Ｂ、１０        面ファスナ
ａ                      溝
ｂ                      折返し部
Ｆ                      足
Ｇ                      床面
【図１】
2015181642.tif 000003
【図２】
2015181642.tif 000004
【図３】
2015181642.tif 000005
【図４】
2015181642.tif 000006
【図５】
2015181642.tif 000007
【図６】
2015181642.tif 000008
【図７】
2015181642.tif 000009
【図８】
2015181642.tif 000010
【図９】
2015181642.tif 000011
【図１０】
2015181642.tif 000012
【図１１】
2015181642.tif 000013